(57)【特許請求の範囲】
【請求項１】
周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けたことを特徴とする盗難防止装置。
【発明の詳細な説明】
【０００１】
【発明の属する技術分野】
この発明は、ケースに収納してある商品の抜き取りを阻止する盗難防止装置に関する。
【０００２】
【従来の技術及びその課題】
従来レンタルショップにあっては、図６に示すように、陳列内ケース１の前面開口２から上記陳列内ケース１にビデオテープなどの商品ａを挿入して収納する。
【０００３】
次いで、陳列外ケース３の上面開口４から上記陳列外ケース３の内に上記商品ａの収納ずみ陳列内ケース１を挿入して、レンタルショップの棚に陳列する。
【０００４】
その際、陳列外ケース３の上面から上方に挿入陳列内ケース１の上部を突出（図６鎖線で示す）させて、陳列外ケース３に対する陳列内ケース１の存在を知らせるようになっている。
【０００５】
上記陳列外ケース３に対する陳列内ケース１の上部を上方に突出させる手段としては、周知のように陳列外ケース３の内面から突出する突出部材（図示省略）に挿入した陳列内ケース１の底を受架させて行う。
【０００６】
上述のような陳列状況下において、顧客は陳列外ケースから陳列内ケースを抜き取って、まず棚に空の陳列ケースを戻し、次いで手にした陳列内ケースをカウンタに持参してレンタルの手続きを行う。
【０００７】
このようなショップにあっては、顧客が直接陳列内ケースを抜き取るシステムのため、抜き取った陳列内ケース内の収納商品を支障なく取り出すことができるので、商品の盗難にあう問題があった。
【０００８】
また、上記以外に、ブックケースにブックを挿入した場合や、商品ケースに商品を挿入して収納する場合でも同様に商品が抜き取られて盗難にあう。
【０００９】
そこで、この発明は、ケースに挿入（収納）してある商品の盗難を防止するようにしたことにある。
【００１０】
【課題を解決するための手段】
上記の課題を解決するために、この発明は、周囲の一面に設けてある開口から商品を挿入して収納する形式のケースにおいて、上記開口の一部を閉鎖するように上記ケースの外側に着脱自在に嵌合体を嵌装すると共に、この嵌合体の一端内に前記嵌合体の一端側を先行させた嵌装にともない上記開口から上記ケースと商品との間隙に差し込む差し込み片を設け、また上記嵌合体とケースとに前記嵌合体の嵌装にともない押し戻され、かつ嵌装終了にともない係合関係になる適宜の係合手段を設けた構成を採用する。
【００１１】
【発明の実施の形態】
この発明の実施の形態を添付図面に基づいて説明する。
【００１２】
この発明の第一の実施形態では、図１から図４に示すように、周囲一面に開口１１を有するケースＫには、開口１１から商品ａを挿入して収納する。
【００１３】
上記のケースＫは、左右で対向する側壁１２、１２と、この両側壁１２、１２間の上下面閉鎖の頂壁１３、底壁１４及び後面閉鎖の後壁１５とで両側壁１２、１２間の前面に開口１１を設けて形成し、例えば合成樹脂製薄板のブランクから組み立てたり、合成樹脂の成形製品などがある。
【００１４】
Ｂは開口１１の一部を閉鎖するようにケースＫの外側に着脱自在に嵌装する嵌合体である。
【００１５】
上記の嵌合体Ｂは、頂壁１３に重なる主壁１６と、この主壁１６の周縁から連なって主壁１６の裏面側に突出する角筒状の周壁１７とで構成され、ケースＫの上端外側（図示の場合）に嵌装して、周壁１７により開口１１の一部を閉鎖するもので、例えば合成樹脂による形成などにより形成すると共に、指先などを引っかけて力を加えても破損しないようになっている。
【００１６】
そして、開口１１から商品ａを挿入してケースＫに商品ａを収納したのち、ケースＫの上端外側に嵌装することで開口１１の一部を周壁１７により（図３に示すように）閉鎖されて、ケースＫに収納してある商品ａの抜き取りを阻止する。
【００１７】
また、嵌合体Ｂの一端内には、嵌合体Ｂの一端側を先行させた嵌装にともないケースＫと収納商品ａとの間隙に差し込む差し込み片１８が設けてある。
【００１８】
上記の差し込み片１８は、図示の場合嵌合体Ｂと一体に設けたが、別部品を接着や熱溶着などで取り付けることもあり、図示の場合商品ａと頂壁１６との間隙に差し込むようにしたが、限定されず商品ａと側壁１２とに間隙があればその間隙に差し込んでもよい。
【００１９】
要するに、差し込み片１８の差し込みによって嵌装した嵌合体Ｂの一端側上方（図示）への離脱を阻止することにある。
【００２０】
さらに、嵌合体ＢとケースＫとには、嵌合体Ｂの嵌装にともない押し戻され、かつ嵌装終了にともない係合関係になる係合手段Ｃが設けてある。
【００２１】
上記の係合手段Ｃとしては、図示の場合、後壁１５に貫孔による係止部１９を、周壁１７の内面に後壁１５の方向に突出端縁を突出させると共に、嵌合体Ｂの嵌装による後壁１５との接触にともない復元力に抗して押し戻され、係止部１９に合致（嵌合体Ｂの嵌装終了による）すると係止部１９に対し自動的に係合関係になる係止爪２０とで構成されている。
【００２２】
勿論、ケースＫ側に係止爪２０を、嵌合体Ｂ側に係止部１９を設けることもあり、係止部１９も貫孔にかえて凹部や突起などにかえることもあり、係止爪２０も切り起こしや別部品を接着や熱融着などで設けると共に、側壁１２と周壁１７との適所の対向面に、設けてもよい。
【００２３】
上記のように構成すると、レンタルショップにあっては、ケースＫを陳列内ケースとして使用し、開口１１からケースＫにレンタル商品ａを（販売品であってもよい）収納したのち、ケースＫの上端に嵌合体Ｂを嵌装する。
【００２４】
嵌装に際し、まずケースＫと商品ａとの間隙に差し込み片１８を差し込み、次いで図３鎖線に示す嵌合体Ｂを押し下げて図３実線に示すように嵌裝する。
【００２５】
嵌装にともない後壁１５と係止爪２０の突出端縁との接触にともない係止爪２０を押し戻し、嵌合体Ｂの嵌装終了にともない係止部１９と係止爪２０とが合致するので、押し戻しによる復元力の発生している係止爪２０と係止部１９とが自動的に係合関係になって、差し込み片１８と係合手段ＣとでケースＫに対する嵌合体Ｂが結合されて、嵌合体Ｂの離脱を阻止する。
【００２６】
しかして、図１に示すように、レンタルショップ側に陳列外ケース３の上面開口４から陳列内ケースとしてのケースＫを挿入して陳列する。
【００２７】
その際、陳列外ケース３の上端から上方に嵌合体Ｂが突出して貸し出し可能（販売可能）な存在を知らせる。
【００２８】
顧客が陳列外ケース３からケースＫを抜き取り、そしてケースＫから商品ａを取り出そうとしても、ケースＫに対し結合状態に嵌装してある嵌合体Ｂの周壁１７により開口１１の一部が閉鎖されているので、抜き取りを阻止して盗難防止に役立つ。
【００２９】
上記係止手段Ｃの係合関係の解除方法は、解除具Ｅを用いて行う。
【００３０】
上記の解除具Ｅとしては、図示の場合周壁１７の内側に解除具Ｅの挿入片２１を挿入すると、挿入片２１の先端により係止爪２０を押し戻して係止爪２０と係止部１９との係合関係を解除するので、嵌合体Ｂの他端側を引き上げてケースＫから嵌合体Ｂを取り外す。
【００３１】
取り外した嵌合体Ｂは、ショップ側に回収する。
【００３２】
上記以外の解除方法としては、金属板により係止爪２０を形成して、強力な磁石により係止爪２０を吸引により引き戻すこともある。
【００３３】
なお、図３に示すように、ケースＫと嵌合体Ｂの周壁１７との大きな間隙が発生する場合、周壁１７の内面に解除具Ｅの差し込みに支障のない突起などを設けて、異物の挿入や周壁１７の変形が阻止すればよい。
【００３４】
また、ケースＫの後壁１５が薄くて係止爪２０の係合関係に支障や破損などが発生しやすい場合、図５に示すように厚板の係止部１９付の補強板２２を重ね合わせて固着すればよい。
【００３５】
なお、ケースＫを陳列内ケースとして使用する例を示したが、ケースＫのみを陳列ケースとして用い、ケースＫ内の商品ａの盗難を防止することもできる。
【００３６】
また、図示のように、嵌合体Ｂ内に固有のＩＤコードをもち、ショップの出入口を通過の際出入口に設置の高周波電磁界の発生により共振回路が共振して固有のＩＤコードの発信にともない高周波電磁界を変調させるような盗難防止用のタグＤを設けておくと、ケースＫ毎商品ａのショップ外への持ち出しを防止する。
【００３７】
【発明の効果】
以上のように、この発明の盗難防止装置によれば、ケースに挿入して収納した商品の抜き取りを、ケースに嵌装した嵌合体による開口の一部閉鎖によってケースに収納してある商品の抜き取りを阻止すると共に、嵌装した嵌合体の一端側ケースに対する離脱を防止する差し込み片とケースに対し嵌合体を結合する係合手段とでケースからの嵌合体の離脱を阻止して盗難防止にすぐれた効果を発揮する。
【図面の簡単な説明】
【図１】この発明の実施形態を示す斜視図
【図２】同上の要部を示す分解斜視図
【図３】嵌合体を嵌装した状態の一部切欠側面図
【図４】係合手段の解除を示す一部切欠側面図
【図５】係合手段の他の例を示す縦断側面図
【図６】従来品の斜視図
【符号の説明】
Ｋ      ケース
１１    開口
１２    側壁
１３    頂壁
１４    底壁
１５    後壁
Ｂ      嵌合体
１６    主壁
１７    周壁
１８    差し込み片
Ｃ      係合手段
１９    係止部
２０    係止爪
Ｅ      解除具
２１    挿入片
Ｄ      タグ
【図１】
0003545751.tif 000002
【図２】
0003545751.tif 000003
【図３】
0003545751.tif 000004
【図４】
0003545751.tif 000005
【図５】
0003545751.tif 000006
【図６】
0003545751.tif 000007